(57)【要約】【課題】ケーブルが邪魔にならず、かつ、電池交換の必要のないキーボードを提供すること。【解決手段】キーボード信号を処理するシステム回路部と処理された信号を電波等によってコンピュータ本体に伝送する伝送部と、を備えるキーボードにおいて、太陽電池部と、充電式電池部と、システム回路部を使用していない場合は、太陽電池部からの電力を充電式電池部に供給する第１制御と、システム回路部を使用している場合であって、光エネルギーがある場所において、太陽電池部からの電力をシステム回路部に供給する第２制御と、システム回路部を使用している場合であって、光エネルギーが無い場所において、充電式電池部に充電された電力をシステム回路部に供給する第３制御と、を行う制御部と、を備える。【選択図】　　　　　図１
2004086573.tif 000002
【特許請求の範囲】
【請求項１】
キーボード信号を処理するシステム回路部と、前記システム回路部で処理された信号を赤外線又は電波によってコンピュータ本体に伝送する伝送部と、を備えるキーボードにおいて、
集光面が前記キーボード上に配される太陽電池部と、
前記キーボード内に実装される充電式電池部と、
前記システム回路部を使用していない場合に、前記太陽電池部からの電力を前記充電式電池部に供給する第１の制御と、
前記システム回路部を使用している場合であって、光エネルギーがある場所において、前記太陽電池部からの電力を前記システム回路部に供給する第２の制御と、
前記システム回路部を使用している場合であって、光エネルギーが無い場所において、前記充電式電池部に充電された電力を前記システム回路部に供給する第３の制御と、
を行なう制御部と、
を備えることを特徴とするキーボード。
【請求項２】
前記制御部は、前記システム回路部を使用していない場合であって、前記充電式電池部の充電が満たされたときに、前記太陽電池部からの電力を前記充電式電池部に供給しないようにする第４の制御を行なうことを特徴とする請求項１記載のキーボード。
【請求項３】
前記制御部は、
前記システム回路部を使用している場合であって、光エネルギーがある場所において、光エネルギーが十分に強く前記太陽電池部において一定電力以上の電力が得られるときは、前記太陽電池部からの電力を前記システム回路部及び前記充電式電池部に供給する第５の制御と、
前記システム回路部を使用している場合であって、光エネルギーがある場所において、光エネルギーが弱く前記太陽電池部において一定電力以上の電力が得られないときは、前記太陽電池部及び前記充電式電池部それぞれからの電力を前記システム回路部に供給する第６の制御と、
を行なうことを特徴とする請求項１又は２記載のキーボード。
【発明の詳細な説明】
【０００１】
【発明の属する技術分野】
本発明は、ワイヤレスのキーボードに関し、特に、電池交換の必要のないキーボードに関する。
【０００２】
【従来の技術】
従来、パーソナルコンピュータ等で用いられる入力機器であるキーボードは、パーソナルコンピュータ本体から電力を供給し動作させていた。或いは、ワイヤレスキーボードのようにパーソナルコンピュータ本体から電力供給できない場合は、キーボード自体に乾電池等の電源を設け、入力機器として動作させていた。
【０００３】
【発明が解決しようとする課題】
そのため、ワイヤード接続になりケーブルが邪魔になったり、ワイヤレスキーボードの場合でも乾電池等の電源を使用するため、電池切れの際に電池交換をしなければないという欠点があった。
【０００４】
本発明の目的は、ケーブルが邪魔にならず、かつ、電池交換の必要のないキーボードを提供することである。
【０００５】
【課題を解決するための手段】
本発明の第１の視点においては、キーボード信号を処理するシステム回路部と、前記システム回路部で処理された信号を赤外線又は電波によってコンピュータ本体に伝送する伝送部と、を備えるキーボードにおいて、集光面が前記キーボード上に配される太陽電池部と、前記キーボード内に実装される充電式電池部と、前記システム回路部を使用していない場合に、前記太陽電池部からの電力を前記充電式電池部に供給する第１の制御と、前記システム回路部を使用している場合であって、光エネルギーがある場所において、前記太陽電池部からの電力を前記システム回路部に供給する第２の制御と、前記システム回路部を使用している場合であって、光エネルギーが無い場所において、前記充電式電池部に充電された電力を前記システム回路部に供給する第３の制御と、を行なう制御部と、を備えることを特徴とする。
【０００６】
また、本発明の前記キーボードにおいて、前記制御部は、前記システム回路部を使用していない場合であって、前記充電式電池部の充電が満たされたときに、前記太陽電池部からの電力を前記充電式電池部に供給しないようにする第４の制御を行なうことが好ましい。
【０００７】
また、本発明の前記キーボードにおいて、前記制御部は、前記システム回路部を使用している場合であって、光エネルギーがある場所において、光エネルギーが十分に強く前記太陽電池部において一定電力以上の電力が得られるときは、前記太陽電池部からの電力を前記システム回路部及び前記充電式電池部に供給する第５の制御と、前記システム回路部を使用している場合であって、光エネルギーがある場所において、光エネルギーが弱く前記太陽電池部において一定電力以上の電力が得られないときは、前記太陽電池部及び前記充電式電池部それぞれからの電力を前記システム回路部に供給する第６の制御と、を行なうことが好ましい。
【０００８】
【発明の実施の形態】
キーボード信号を処理するシステム回路部（図１の２）と、前記システム回路部（図１の２）で処理された信号を赤外線又は電波によってコンピュータ本体（図１の１０）に伝送する伝送部（図１の６）と、を備えるキーボード（図１の１）において、集光面が前記キーボード上に配される太陽電池部（図１の３）と、前記キーボード内に実装される充電式電池部（図１の５）と、前記システム回路部（図１の２）を使用していない場合に、前記太陽電池部（図１の３）からの電力を前記充電式電池部（図１の５）に供給する第１の制御（図２参照）と、前記システム回路部（図１の２）を使用している場合であって、光エネルギーがある場所において、前記太陽電池部（図１の３）からの電力を前記システム回路部（図１の２）に供給する第２の制御（図３参照）と、前記システム回路部（図１の２）を使用している場合であって、光エネルギーが無い場所において、前記充電式電池部（図１の５）に充電された電力を前記システム回路部（図１の２）に供給する第３の制御（図４参照）と、を行なう制御部（図１の４）と、を備えることにより、外部からの電源を必要とせずに、キーボードの発電能力及び蓄電能力のみでキーボードを動作させることがきる。
【０００９】
【実施例】
本発明の実施例１について図面を用いて説明する。図１は、本発明の実施例１に係るキーボードの回路を模式的に示したブロック図である。図２〜４は、本発明の実施例１に係るキーボードの回路における電力供給経路を模式的に示したブロック図である。
【００１０】
このキーボード１は、コンピュータ本体１０と赤外線や電波で通信するワイヤレスキーボードであり、システム回路部２、太陽電池部３、制御部４、充電式電池部５、伝送部６を装備する。
【００１１】
システム回路部２は、キーボード信号を処理する中央演算処理装置であり、伝送部６及び制御部４と電気的に接続する。
【００１２】
太陽電池部３は、光エネルギーを電気エネルギーに変換する太陽電池であり、制御部４と電気的に接続し、変換された電気エネルギーを制御部４に供給する。太陽電池部３は、その集光面がキーボード上に配され、例えば、キーボード上のキーの中に配設してもよく、そのケース上に配設してもよい。
【００１３】
制御部４は、システム回路部２、太陽電池部３及び充電式電池部５間の電力の供給経路を制御する電源コントローラであり、以下のような制御を行なう。
【００１４】
第１に、キーボード１（システム回路部２）を使用していない場合は、太陽電池部３からの電力を充電式電池部５に供給するように制御する（図２参照）。
【００１５】
第２に、キーボード１（システム回路部２）を使用している場合であって、光エネルギーがある場所においては、太陽電池部３からの電力をシステム回路部２に供給するように制御する（図３参照）。
【００１６】
第３に、キーボード１（システム回路部２）を使用している場合であって、光エネルギーが無い場所においては、充電式電池部５に充電された電力をシステム回路部２に供給するように制御する（図４参照）。
【００１７】
充電式電池部５は、キーボード内に実装される充電式電池であり、制御部４と電気的に接続する。充電式電池としては、例えば、ニッケル水素蓄電池やリチウムイオン電池という軽量で高容量の二次電池が挙げられる。
【００１８】
伝送部６は、システム回路部２で処理された信号を赤外線又は電波によってコンピュータ本体１０に伝送する伝送装置である。伝送部６は、コンピュータ本体１０に接続された受信機に伝送するものであってもよい。
【００１９】
以上のようなキーボードの構成によれば、外部からの電源を必要とせずに、キーボードの発電能力及び蓄電能力のみでキーボードを動作させることがきる。
【００２０】
次に、本発明の実施例１に係るキーボードの動作について説明する。
【００２１】
キーボード１を使用していないと制御部４が判断した時は、太陽電池部３が得た光エネルギーが充電式電池部５に充電される（図２参照）。
【００２２】
キーボード１を使用していると制御部４が判断した時であって、光エネルギーが得られる場所では、キーボード１上に取り付けられた太陽電池部３が光エネルギーを受けて、キーボード１のシステム回路部２に電力を供給し、キーボード１を動作させる（図３参照）。
【００２３】
キーボード１を使用していると制御部４が判断した時であって、光エネルギーが得られない場所では、充電式電池部５に充電されている電力を、システム回路部２に供給しキーボード１を動作させる（図４参照）。
【００２４】
次に、本発明の実施例２について図面を用いて説明する。図５〜７は、本発明の実施例２に係るキーボードの回路における電力供給経路を模式的に示したブロック図である。実施例２に係るキーボードは、制御部以外、実施例１に係るキーボードと同様である（図１参照）。
【００２５】
制御部４は、以下のような制御を行なう。
【００２６】
第１に、キーボード１（システム回路部２）を使用していない場合は、太陽電池部３からの電力を充電式電池部５に供給するように制御する（図２参照）。この場合、光エネルギーの強弱にかかわらずに太陽電池部３からの電力を充電式電池部５に供給するようにする。また、キーボード１（システム回路部２）を使用していない場合に、充電式電池部５の充電が満たされたときは、充電式電池部５の保全のため、太陽電池部３からの電力を充電式電池部５に供給しないように制御する（図５参照）。
【００２７】
第２に、キーボード１（システム回路部２）を使用している場合であって、光エネルギーがある場所においては、太陽電池部３からの電力をシステム回路部２に供給するように制御する（図３参照）。この場合、光エネルギーが十分に強く太陽電池部３において一定電力以上の電力が得られるときは、太陽電池部３からの電力をシステム回路部２及び充電式電池部５に供給するように制御する（図６参照）。一方、光エネルギーが弱く太陽電池部３において一定電力以上の電力が得られないときは、太陽電池部３及び充電式電池部５それぞれからの電力をシステム回路部２に供給するように制御する（図７参照）。
【００２８】
第３に、キーボード１（システム回路部２）を使用している場合であって、光エネルギーが無い場所においては、充電式電池部５に充電された電力をシステム回路部２に供給するように制御する（図４参照）。
【００２９】
次に、本発明の実施例２に係るキーボードの動作について図面を用いて説明する。図８は、本発明の実施例２に係るキーボードの制御部の動作を説明するためのフローチャートである。各構成部については、図１を参照されたい。
【００３０】
まず、制御部４は、システム回路部２に電源を供給しているか否かによりキーボードが不使用か否かを判断する（ステップＡ１）。
【００３１】
不使用の場合（ステップＡ１のＹＥＳ）、制御部４は、充電式電池部５の充電状態に基づいて充電が満たされているか否かを判断する（ステップＡ２）。満たされている場合（ステップＡ２のＹＥＳ）は、太陽電池部３からの電力供給を停止する（図５参照）。一方、満たされていない場合（ステップＡ２のＮＯ）は、太陽電池部３からの電力を充電式電池部４に供給する（図２参照）。
【００３２】
使用している場合（ステップＡ１のＮＯ）、制御部４は、太陽電池部３からの発電状態に基づいて光エネルギーがあるか否かを判断する（ステップＡ３）。光エネルギーがない場合（ステップＡ３のＮＯ）は、充電式電池部４に充電されている電力をシステム回路部２に供給する（図４参照）。
【００３３】
光エネルギーがある場合（ステップＡ３のＹＥＳ）は、太陽電池部３からの発電状態に基づいて一定電力以上か否かを判断する（ステップＡ４）。一定電力以上の場合（ステップＡ４のＹＥＳ）は、太陽電池部３からの電力をシステム回路部２及び充電式電池部４に供給する（図６参照）。一方、一定電力以上でない場合（ステップＡ４のＮＯ）は、太陽電池部３及び充電式電池部４からの電力をシステム回路部２に供給する（図７参照）。なお、丁度一定電力の場合は、太陽電池部３からの電力をシステム回路部２に供給する（図３参照）。
【００３４】
以上の動作により、太陽電池部４の発電状態、充電式電池部４の充電状態及びシステム回路部２の使用状態に基づいて、適切な電力供給経路が選択されるとともに、充電式電池部４の安全性が保たれる。
【００３５】
【発明の効果】
本発明によれば、以下のような効果を奏する。
【００３６】
第１の効果は、ワイヤレスキーボードであってもキーボード自体に電源を必要としないことである。その理由は、キーボード上に取り付けられた太陽電池が光エネルギーを得ることによってキーボードに電力が供給されるからである。
【００３７】
第２の効果は、光エネルギーが得られない場所においてもキーボードを動作させることが可能なことである。その理由は、キーボード内に充電式電池を装備し、太陽電池が得た光エネルギーをその充電式電池に充電し、その充電された電力でキーボードを動作させるからである。
【００３８】
第３の効果は、省電力化になるということである。その理由は、光エネルギーを電源とし、外部からの電源を必要としないからである。
【００３９】
第４の効果は、太陽電池部の発電状態、充電式電池部の充電状態及びシステム回路部の使用状態に基づいて、適切な電力供給経路が選択されるとともに、充電式電池部の安全性が保たれる。
【図面の簡単な説明】
【図１】本発明の実施例１に係るキーボードの回路を模式的に示したブロック図である。
【図２】本発明の実施例１に係るキーボードの回路における第１の電力供給経路を模式的に示したブロック図である。
【図３】本発明の実施例１に係るキーボードの回路における第２の電力供給経路を模式的に示したブロック図である。
【図４】本発明の実施例１に係るキーボードの回路における第３の電力供給経路を模式的に示したブロック図である。
【図５】本発明の実施例２に係るキーボードの回路における第４の電力供給経路を模式的に示したブロック図である。
【図６】本発明の実施例２に係るキーボードの回路における第５の電力供給経路を模式的に示したブロック図である。
【図７】本発明の実施例２に係るキーボードの回路における第６の電力供給経路を模式的に示したブロック図である。
【図８】本発明の実施例２に係るキーボードの制御部の動作を説明するためのフローチャートである。
【符号の説明】
１　キーボード
２　システム回路部
３　太陽電池部
４　制御部
５　充電式電池部
６　伝送部
１０　コンピュータ本体
【図１】
2004086573.tif 000003
【図２】
2004086573.tif 000004
【図３】
2004086573.tif 000005
【図４】
2004086573.tif 000006
【図５】
2004086573.tif 000007
【図６】
2004086573.tif 000008
【図７】
2004086573.tif 000009
【図８】
2004086573.tif 000010